(57)【要約】【課題】躯体側に支持してある状態で、ガラスパネルの室外側からの外観が損なわれ難いガラスパネル支持構造を提供する。【解決手段】複数のガラスパネルＡをパネル面に略沿う方向で隣り合わせに配置して躯体側に支持してあるガラスパネル支持構造であって、隣り合うガラスパネルを、それらの互いに対向する端面８どうしが室外側ほど互いに離間するテーパ面を形成するように配置し、それらのガラスパネルの室内側への移動を室内側から規制する規制部１０と、互いに対向する端面間に室外側から楔状に入り込む楔部材２３と、端面間に入り込んでいる楔部材を室内側に引っ張り固定する固定部材２４とを設けてある。【選択図】図４
2008121307.tif 000002
【特許請求の範囲】
【請求項１】
複数のガラスパネルをパネル面に略沿う方向で隣り合わせに配置して躯体側に支持してあるガラスパネル支持構造であって、
隣り合うガラスパネルを、それらの互いに対向する端面どうしが室外側ほど互いに離間するテーパ面を形成するように配置し、
それらのガラスパネルの室内側への移動を室内側から規制する規制部と、
前記互いに対向する端面間に室外側から楔状に入り込む楔部材と、
前記端面間に入り込んでいる楔部材を室内側に引っ張り固定する固定部材とを設けてあるガラスパネル支持構造。
【請求項２】
前記複数のガラスパネルの夫々を、矩形板ガラスにおける左右の側辺部の夫々を互いに対向する方向に屈曲させた屈曲側辺部を備えている溝形の型板ガラスで構成し、
前記互いに対向する端面を前記屈曲側辺部の外向き面で形成してある請求項１記載のガラスパネル支持構造。
【発明の詳細な説明】
【技術分野】
【０００１】
本発明は、複数のガラスパネルをパネル面に略沿う方向で隣り合わせに配置して躯体側に支持してあるガラスパネル支持構造に関する。
【背景技術】
【０００２】
上記ガラスパネル支持構造では、従来、各ガラスパネルの外周部をサッシに嵌め込んで躯体側に支持してある（周知慣用技術であり、先行技術文献情報を開示できない）。
【発明の開示】
【発明が解決しようとする課題】
【０００３】
このため、各ガラスパネルを躯体側に支持してある状態で、ガラスパネルの外周部に沿って、室外側ガラス面にサッシの枠部材が一連の帯状に重なり、ガラスパネルの室外側からの外観が損なわれ易い欠点がある。
本発明は上記実情に鑑みてなされたものであって、躯体側に支持してある状態で、ガラスパネルの室外側からの外観が損なわれ難いガラスパネル支持構造を提供することを目的とする。
【課題を解決するための手段】
【０００４】
本発明の第１特徴構成は、複数のガラスパネルをパネル面に略沿う方向で隣り合わせに配置して躯体側に支持してあるガラスパネル支持構造であって、隣り合うガラスパネルを、それらの互いに対向する端面どうしが室外側ほど互いに離間するテーパ面を形成するように配置し、それらのガラスパネルの室内側への移動を室内側から規制する規制部と、前記互いに対向する端面間に室外側から楔状に入り込む楔部材と、前記端面間に入り込んでいる楔部材を室内側に引っ張り固定する固定部材とを設けてある点にある。
【０００５】
〔作用及び効果〕
隣り合うガラスパネルを、それらの互いに対向する端面どうしが室外側ほど互いに離間するテーパ面を形成するように配置し、それらのガラスパネルの室内側への移動を規制部で室内側から規制している状態で、互いに対向する端面間に室外側から楔部材を入り込ませて、その楔部材を室内側に引っ張り固定して躯体側に支持できる。
従って、ガラスパネルの外周部に沿って、室外側ガラス面に一連の帯状に重なるような部材を特に設けることなく、隣り合うガラスパネルを躯体側に支持することができ、躯体側に支持してある状態で、ガラスパネルの室外側からの外観が損なわれ難い。
【０００６】
本発明の第２特徴構成は、前記複数のガラスパネルの夫々を、矩形板ガラスにおける左右の側辺部の夫々を互いに対向する方向に屈曲させた屈曲側辺部を備えている溝形の型板ガラスで構成し、前記互いに対向する端面を前記屈曲側辺部の外向き面で形成してある点にある。
【０００７】
〔作用及び効果〕
溝形の型板ガラスを屈曲側辺部どうしが対向するように隣り合わせに配置して躯体側に支持してある状態で、型板ガラスの室外側からの外観が損なわれ難い。
【発明を実施するための最良の形態】
【０００８】
以下に本発明の実施の形態を図面に基づいて説明する。
〔第１実施形態〕
図１，図２は、矩形板ガラスにおける左右の側辺部の夫々を互いに対向する方向に略直角に屈曲させた屈曲側辺部１，２を左右両側に備えている溝形の透明型板ガラスＡ，Ｂの複数を上下左右に並設して構成してある建物外壁Ｃを示し、各型板ガラスＡ，Ｂは、溝長手方向を上下方向に沿わせた姿勢で、躯体側に固定してある受け部３に支持してある。
【０００９】
前記受け部３は、建物外方側に向けて凸曲する円弧状に湾曲させた複数の鋼管フレーム４を略水平に沿わせて、かつ、上下に間隔を隔てて互いに平行に躯体側に固定するとともに、平面視で建物外方側に向けて凸曲する円弧帯状に形成してある鋼製帯板材５を、各鋼管フレーム４の湾曲外周側に略水平に溶接固定して構成してあり、各型板ガラスＡ，Ｂは、上下の帯板材５の間毎に、帯板材５の建物外方側側縁に沿って長手方向に隣り合わせに並べて支持してある。
【００１０】
前記建物外壁Ｃは、左右の屈曲側辺部１間の型板ガラス本体６を屈曲側辺部１よりも建物外方側（室外側）に位置させてある外側型板ガラスＡと、型板ガラス本体７を屈曲側辺部２よりも建物内方側（室内側）に位置させて、かつ、左右の屈曲側辺部２を外側型板ガラスＡの溝内側に入り込ませてある幅狭の内側型板ガラスＢとの組み合わせの複数を帯板材５に支持して構成してある。
【００１１】
そして、各外側型板ガラスＡが本発明におけるガラスパネルに相当しており、それらの型板ガラス本体６のガラス面が本発明におけるパネル面に相当し、それらの左右の屈曲側辺部１の外向き面８が本発明におけるガラスパネルの互いに対向する端面に相当し、上下の帯板材５の間毎にガラス面に略沿う方向で左右に隣り合わせに配置してあるこれら複数の外側型板ガラスＡを本発明によるガラスパネル支持構造で躯体側に支持してある。
【００１２】
前記外側型板ガラスＡの支持構造を図３，図４を参照しながら説明する。
各外側型板ガラスＡは、左右に隣り合う外側型板ガラスＡを、それらの屈曲側辺部１の互いに対向する外向き面８どうしが室外側ほど互いに離間するテーパ面を形成するように配置してある。
【００１３】
そして、各屈曲側辺部１の下端を水平方向に移動可能に支持して、外側型板ガラスＡの重量を躯体側に伝達可能な外側型板ガラス支持部９と、各屈曲側辺部１を保持して、外側型板ガラスＡの躯体側に対する一定範囲を越える水平方向及び上下方向の移動を室内側から規制可能な規制部としての外側型板ガラス保持部１０とを設けてある。
【００１４】
前記外側型板ガラス支持部９は、ゴム（例えばＥＰＤＭ（エチレン−プロピレン−ジエンゴム））製の上向きコの字状セッティング部材で構成してあり、左右の屈曲側辺部１毎に、屈曲側辺部１の型板ガラス本体６近くの下端側をセッティング部材９の嵌合用凹部１１に嵌合させて、左右のセッティング部材９を帯板材５に載置することによって、屈曲側辺部１の下端をセッティング部材９を介して帯板材５で受け止めて、外側型板ガラスＡの重量を躯体側に伝達可能に設けてある。
【００１５】
前記外側型板ガラス保持部１０は、各屈曲側辺部１の上下両端部側の夫々に、屈曲側辺部１に連結する板ガラス連結部材１２と、帯板材５に連結する受け部連結部材１３とを設け、受け部連結部材１３に、外側型板ガラスＡの躯体側に対する一定範囲内での水平方向及び上下方向の移動を許容する融通機構１４を設けて構成してある。
【００１６】
前記板ガラス連結部材１２は、矩形鋼板を略直角に屈曲させたＬ字状の板材で構成してあり、一方の屈曲片部１５が屈曲側辺部１の上下方向端面よりも上下方向に突出し、かつ、外側型板ガラスＡの溝内側に向けて延設される姿勢で、他方の屈曲片部１６の背面側を屈曲側辺部１の内向き面１７に接着剤で接着して、屈曲側辺部１に一体に連結してある。
尚、他方の屈曲片部１６の背面側を接着する接着剤としては、シリコーン系や弾性エポキシ系の接着剤が好ましい。
【００１７】
前記受け部連結部材１３は、帯板材５に形成した貫通孔１８に抜け止め状態で挿通してある鋼製の頭付きボルトで構成してあり、この頭付きボルト１３は、一定長さの円柱軸部１９を残して雄ねじ部を形成して、抜け止め用のナット２０を雄ねじ部に締め付け固定した状態で、ナット２０とボルト頭２１との間に、帯板材５の厚みと上下二枚の屈曲片部１５の厚みとを加えた長さに、遊び分の長さａを加えた一定間隔Ｈが形成されるように設けてある。
【００１８】
前記融通機構１４は、頭付きボルト１３を、帯板材５を挟んで上下に対向する屈曲片部１５の各貫通孔２２と、帯板材５の貫通孔１８とに亘って、孔径方向に遊びがある状態で挿通すると共に、抜け止め用のナット２０を締め付け固定することにより、ボルト軸芯方向にも遊びがある状態で取り付けて、外側型板ガラスＡの躯体側に対する一定範囲内での水平方向及び上下方向の移動を許容しながら、室内側への移動を規制してある。
【００１９】
そして、左右に隣り合う外側型板ガラスＡの屈曲側辺部１の互いに対向する外向き面８どうしの間に室外側から楔状に入り込む楔部材２３と、外向き面８どうしの間に入り込んでいる楔部材２３を室内側に引っ張り固定する固定部材２４とを設けて、各外側型板ガラスＡの前後左右方向への移動を規制してある。
【００２０】
前記楔部材２３はゴム（例えばＥＰＤＭ（エチレン−プロピレン−ジエンゴム））製の矩形板材で厚さが一側辺側ほど徐々に薄くなる楔状に形成してあり、この楔部材２３に厚みの中心線に沿って貫通孔３４を形成し、その貫通孔３４に固定部材としてのロッド２４を屋外側から抜け止め状態で挿通するとともに、そのロッド２４の端部を鋼管フレーム４に溶接固定してあるブラケット２５の水平方向に長い長孔に挿通して、その端部にねじ込んだ蝶ねじ２６でブラケット２５に引っ張り固定してある。
【００２１】
そして、左右に隣り合う外側型板ガラスＡの互いに対向する屈曲側辺部１どうしの隙間と、外側型板ガラスＡと上下の帯板材５との隙間の夫々には例えばシリコーン系のシーリング材２７を充填してある。
【００２２】
前記内側型板ガラスＢの支持構造を説明する。
各内側型板ガラスＢは、型板ガラス本体７の下端を水平方向に移動可能に支持して、内側型板ガラスＢの重量を躯体側に伝達可能な内側型板ガラス支持部２８と、型板ガラス本体７を保持して、内側型板ガラスＢの躯体側に対する一定範囲を越える水平方向及び上下方向の移動を規制可能な内側型板ガラス保持部２９とを設けてある。
【００２３】
前記内側型板ガラス支持部２８は、外側型板ガラス支持部９を構成しているセッティング部材と同様のセッティング部材で構成してあり、型板ガラス本体７の左右の下端側をセッティング部材２８の嵌合用凹部３０に嵌合させて、左右のセッティング部材２８を帯板材５に載置することによって、型板ガラス本体７の下端をセッティング部材２８を介して帯板材５で受け止めて、内側型板ガラスＢの重量を躯体側に伝達可能に設けてある。
【００２４】
前記内側型板ガラス保持部２９は、型板ガラス本体７の上下両端部側の左右両側の夫々に、型板ガラス本体７に連結する、外側型板ガラス保持部１０と同じ板ガラス連結部材１２と、帯板材５に連結する、外側型板ガラス保持部１０と同じ受け部連結部材１３とを設け、受け部連結部材１３に、内側型板ガラスＢの躯体側に対する一定範囲内での水平方向及び上下方向の移動を許容する、外側型板ガラス保持部１０と同じ融通機構１４を設けて構成してある。
【００２５】
前記板ガラス連結部材１２は、一方の屈曲片部１５が型板ガラス本体７の上下方向端面よりも上下方向に突出し、かつ、内側型板ガラスＢの溝外側、つまり、室内側に向けて延設される姿勢で、他方の屈曲片部１６を型板ガラス本体７の内向き面３１に接着剤で接着して、型板ガラス本体７に一体に連結してある。
【００２６】
〔第２実施形態〕
図５は受け部連結部材１３の別実施形態を示し、帯板材５の貫通孔１８に抜け止め状態で挿通してある頭付きボルト１３に、ダブルナット３５をその上面と下側の屈曲片部１５の下面との間の遊び分が所定の長さａになるように螺着固定してある。
その他の構成は第１実施形態と同様である。
【００２７】
〔第３実施形態〕
図６は受け部連結部材１３の別実施形態を示し、帯板材５の貫通孔１８に抜け止め状態で挿通してある頭付きボルト１３に、抜け止め用のナット２０をその上面と下側の屈曲片部１５の下面との間の遊び分が所定の長さａになるように螺着し、頭付きボルト１３と抜け止め用のナット２０とに亘って、回り止めピン４６を装着してある。
その他の構成は第１実施形態と同様である。
【００２８】
〔第４実施形態〕
図７は本発明によるガラスパネル支持構造の別実施形態を示し、外側型板ガラスＡと内側型板ガラスＢとを同じ寸法の型板ガラスで構成し、屈曲側辺部１，２の端縁どうしを突き合わせるように組み合わせて、帯板材５に支持してある。
その他の構成は第１実施形態と同様である。
【００２９】
〔第５実施形態〕
図８は本発明によるガラスパネル支持構造の別実施形態を示し、外側型板ガラスＡのみを帯板材５に支持して、建物外壁Ｃを構成してある。
その他の構成は第１実施形態と同様である。
【００３０】
〔その他の実施形態〕
１．本発明によるガラスパネル支持構造は、平板の板ガラスや複層ガラスからなる複数のガラスパネルを支持してあるガラスパネル支持構造であっても良い。
２．本発明によるガラスパネル支持構造は、複数のガラスパネルをパネル面に略沿う方向で上下に隣り合わせに配置して躯体側に支持してあるガラスパネル支持構造であっても良い。
３．本発明によるガラスパネル支持構造は、複数のガラスパネルをパネル面に略沿う方向で上下及び左右に隣り合わせに配置して躯体側に支持してあるガラスパネル支持構造であっても良い。
４．本発明によるガラスパネル支持構造は、建物内側を区画する複数のガラスパネルをパネル面に略沿う方向で隣り合わせに配置して躯体側に支持してあるガラスパネル支持構造であっても良い。
５．本発明によるガラスパネル支持構造は、ガラスパネルの端面をガラス面に対して傾斜する傾斜面に形成して、隣り合うガラスパネルを、それらの互いに対向する端面どうしが室外側ほど互いに離間するテーパ面を形成するように配置してあっても良い。
【図面の簡単な説明】
【００３１】
【図１】ガラスパネル支持構造の側面図
【図２】ガラスパネル支持構造の平面図
【図３】要部の拡大側面図
【図４】要部の拡大平面図
【図５】第２実施形態の要部の拡大側面図
【図６】第３実施形態の要部の拡大側面図
【図７】第４実施形態のガラスパネル支持構造の概略平面図
【図８】第５実施形態のガラスパネル支持構造の概略平面図
【符号の説明】
【００３２】
１  屈曲側辺部
８  端面（外向き面）
１０  規制部
２３  楔部材
２４  固定部材
Ａ  ガラスパネル（溝形の型板ガラス）
【図１】
2008121307.tif 000003
【図２】
2008121307.tif 000004
【図３】
2008121307.tif 000005
【図４】
2008121307.tif 000006
【図５】
2008121307.tif 000007
【図６】
2008121307.tif 000008
【図７】
2008121307.tif 000009
【図８】
2008121307.tif 000010